(57)【要約】      （修正有）【課題】留め具が外部から視認されることなく、かつバック本体の開口を閉じた状態のかぶせをバック本体に容易に固定できるハンドバックを提供する。【解決手段】ハンドバック１０は、上部に開口が形成されたバック本体１と、前記開口を開閉可能にバック本体１に取り付けられたシート状のかぶせ２と、を備え、かぶせ２の一端はバック本体１の後胴面に取り付けられ、前記一端とは反対側の端部近傍にはかぶせマグネット２ｘが内蔵されており、バック本体１の前胴面１ａには、かぶせマグネット２ｘの端部を磁力によって固定する本体マグネットが内蔵されている。【選択図】図１
0003216980.tif 000002
【実用新案登録請求の範囲】
【請求項１】
上部に開口が形成されたバック本体と、
前記開口を開閉可能に前記バック本体に取り付けられたシート状のかぶせと、を備え、
前記かぶせの一端は前記バック本体の後胴面に取り付けられ、前記一端とは反対側の前記かぶせの端部近傍にはかぶせマグネットが内蔵されており、
前記バック本体の前胴面には、前記かぶせマグネットの端部を磁力によって固定する本体マグネットが内蔵されているハンドバック。
【請求項２】
前記前胴面は、表側から順に、化粧生地と、前記化粧生地よりも厚みのあるクッション生地と、前記クッション生地よりも硬い素材で構成された厚手シートと、前記バック本体の内側面として機能する裏生地とを含み、
前記本体マグネットを前記前胴面に内蔵した状態で前記前胴面を外側から見たときに盛り上がりができないように前記クッション生地及び前記厚手シートに前記本体マグネットの外形よりも一回り大きい形状の切欠きが設けられている請求項１に記載のハンドバック。
【請求項３】
前記本体マグネットの厚みは、前記クッション生地及び前記厚手シートの合計厚みよりも薄い請求項２に記載のハンドバック。
【請求項４】
前記バック本体は、前記前胴面と前記後胴面とをつなぐ一対の横マチをさらに備え、
前記一対の横マチの上部から上方に延び、前記開口の上方を跨ぐように持ち手が取り付けられている請求項１〜３のいずれか一項に記載のハンドバック。
【請求項５】
前記バック本体は、前記前胴面と前記後胴面とをつなぐ一対の横マチをさらに備え、
前記かぶせは、前記後胴面に接着剤で固定されており、
前記横マチは、前記前胴面と前記後胴面とにそれぞれ接着剤で固定されている請求項１〜４のいずれか一項に記載のハンドバック。
【考案の詳細な説明】
【技術分野】
【０００１】
本考案は、ハンドバックに関し、より詳細には、かぶせによってバック本体の開口を閉じた状態でかぶせを容易に固定できるハンドバックに関する。
【背景技術】
【０００２】
ハンドバックは、荷物を手軽に持ち運びできるものとして一般に広く利用されており、特に女性の間では、単に持ち運び機能を期待するものだけにとどまらず、ファッションの一部としてデザインが考慮される。女性が冠婚葬祭に出席する際には正装に併せてフォーマルなハンドバックを身に着けることが一般化している。
【０００３】
冠婚葬祭の場では、ハンドバックからハンカチや数珠等の小物を取り出す機会も多く、デザインだけではなく機能性も求められる。このため、ハンドバックの開閉のしやすさについては従来から種々の製品が開発されている。例えば特許文献１（特開２００３−１９９６１０号）には、ハンドバックの開閉に使用可能な係止金具に関する発明が開示されている。
【０００４】
特許文献１の図１に開示の鞄を図５に示す。特許文献１に開示の鞄１１０は、図５に示すように、鞄本体１０１の前胴面に取り付けられた雌型の固定金具１０１ｘと、鞄本体１０１の開口を開閉するかぶせ１０２と、かぶせ１０２の端部に取り付けられた雄型の固定金具１０２ｘと、かぶせ１０２の上部に取り付けられた持ち手１０３とを有している。この鞄１１０の開口を閉じるときには、かぶせ１０２の端部に取り付けられた雄型の固定金具１０２ｘを、鞄本体１１０の前胴面に取り付けられた雌型の固定金具１０１ｘに嵌め込むことで、固定金具同士が固定されて鞄本体１０１の開口を閉じた状態で固定できる。
【０００５】
特許文献１に開示の開閉金具１０１ｘ、１０２ｘを用いることにより、鞄本体１０１の開口を閉じた状態のかぶせ１０２を固定することができるので、鞄内部の物品が鞄１１０の外側に出てしまうことを防止することができる。また雄型の固定金具１０２ｘを雌型の固定金具１０１ｘに抑え込むだけで取り付けることができるので、ユーザーにとって着脱が容易であるという利点もある。
【先行技術文献】
【特許文献】
【０００６】
【特許文献１】特開２００３−１９９６１０号公報
【考案の概要】
【考案が解決しようとする課題】
【０００７】
しかしながら、特許文献１に開示の金具では、雄型の金具の凸部を雌型の金具の凹部に嵌め込む必要があり、この位置合わせが煩わしかった。特にフォーマルな場ではスマートな所作が望まれるところ、鞄の金具の位置合わせに手間取るのはみっともないという声があった。またデザイン的にもボタンが外部に露出しているバックは、高級感に欠けることから、かぶせの留め具が視認できないデザインが求められていた。
【０００８】
本考案は、上記の課題を解決するためになされたものであり、その目的とするところは、留め具が外部から視認されることなく、かつバック本体の開口を閉じた状態のかぶせを容易にバック本体に固定できるハンドバックを提供するものである。
【課題を解決するための手段】
【０００９】
本考案のハンドバックは、上部に開口が形成されたバック本体と、前記開口を開閉可能に前記バック本体に取り付けられたシート状のかぶせと、を備え、前記かぶせの一端は前記バック本体の後胴面に取り付けられ、前記一端とは反対側の前記かぶせの端部近傍にはかぶせマグネットが内蔵されており、前記バック本体の前胴面には、前記かぶせマグネットの端部を磁力によって固定する本体マグネットが内蔵されていることを特徴とする。
【００１０】
上記構成によれば、かぶせマグネットがかぶせに内蔵されているので外部からかぶせマグネットが視認されることがない。同様に、本体マグネットもバック本体に内蔵されているので外部から本体マグネットが視認されることがない。このため、ハンドバックを外側から見たときに留め具が視認されないので、デザイン性に優れたハンドバックとすることができる。しかも、かぶせマグネットと本体マグネットとを磁力で引き付けることによってかぶせの一端がバック本体の前胴面に固定されるので、従来のハンドバックのように雄雌の位置合わせの必要がなく、かぶせの一端をバック本体の前胴面に簡単に固定することが可能となる。
【００１１】
上記構成において、好ましくは、前記前胴面は、表側から順に、化粧生地と、前記化粧生地よりも厚みのあるクッション生地と、前記クッション生地よりも硬い素材で構成された厚手シートと、前記バック本体の内側面として機能する裏生地とを含み、前記本体マグネットを前記前胴面に内蔵した状態で前記前胴面を外側から見たときに盛り上がりができないように前記クッション生地及び前記厚手シートに前記本体マグネットの外形より一回り大きい形状の切欠きが設けられている。
【００１２】
上記構成によれば、切欠きに本体マグネットが嵌まり込むので、前胴面を外面視したときに本体マグネットの厚み分の盛り上がりが前胴面に生じることを防ぐことができ、デザイン性に優れたハンドバックとなる。また、クッション生地と厚手シートとに本体マグネットの外形より一回り大きい形状の切欠きが設けられているので、本体マグネットを前胴面に内蔵した状態で本体マグネットの位置ずれが起きにくいという利点がある。
【００１３】
上記構成において、好ましくは、前記本体マグネットの厚みは、前記クッション生地及び前記厚手シートの合計厚みよりも薄い。
【００１４】
上記構成によれば、本体マグネットによって前胴面に盛り上がりが生じることを確実に防止することができる。
【００１５】
上記構成において、好ましくは、前記バック本体は、前記前胴面と前記後胴面とをつなぐ一対の横マチをさらに備え、前記一対の横マチの上部から上方に延び、前記開口の上方を跨ぐように持ち手が取り付けられている。
【００１６】
上記構成によれば、バック本体の開口がかぶせによって閉じた状態で、持ち手によってかぶせが前胴面から外れてしまうことを防止することができるので、バックを持ち運びしやすくなるという利点がある。しかも、従来のようにバック本体の上部に持ち手が取り付けられているのではなく、バック本体の横マチから上部に持ち手が延びているので、かぶせの開閉にかかわらず持ち手が常に上方を向いた状態とすることができる。このため、ハンドバックを持ち運びしやすくなっている。
【００１７】
上記構成において、好ましくは、バック本体は、前記前胴面と前記後胴面とをつなぐ一対の横マチをさらに備え、前記かぶせは、前記後胴面に接着剤で固定されており、前記横マチは、前記前胴面と前記後胴面とにそれぞれ接着剤で固定されている。
【００１８】
上記構成によれば、前胴面及び後胴面と横マチとがそれぞれ接着剤によって固定されているので、従来のように各部の裏面同士を縫い付けて固定する場合と比べて、ハンドバックを裏側にひっくり返して縫い付ける作業をなくすことができる。これによりハンドバックの型崩れを防止することができるし、頑丈でしっかりした造りのハンドバックを作製することができる。
【考案の効果】
【００１９】
本考案のハンドバックによれば、留め具が外部から視認されることなく、かつバック本体の開口を閉じた状態のかぶせを容易にバック本体に固定することができる。
【図面の簡単な説明】
【００２０】
【図１】本考案のハンドバックのかぶせを閉めた状態で、前斜め上側から見た外観斜視図である。
【図２】本考案のハンドバックのかぶせを開けた状態で、前斜め上側から見た外観斜視図である。
【図３】前胴面と底面と後胴面とを折り曲げる前の状態を示す上面図である。
【図４】図３のＡ−Ａ線の断面図である。
【図５】特許文献１（従来）のハンドバックの一例を示す外観斜視図である。
【考案を実施するための形態】
【００２１】
以下において、本考案の詳細及び利点を詳述する実施形態を説明する。本実施形態における開示、請求の範囲及び図面によれば、当業者が本考案の技術的な内容を容易に理解し、過不足なく十分に実施することができる。本技術分野における常識を有する者であれば、本考案に関連する目的及び利益を容易に理解することができる。
【００２２】
図１及び図２はそれぞれ、本考案のハンドバックのかぶせを閉めた状態と開けた状態で、前斜め上側から見た外観斜視図である。本考案の一形態のハンドバック１０は、上部に開口Ｐが形成されたバック本体１と、開口Ｐを開閉可能にバック本体１に取り付けられたシート状のかぶせ２と、バック本体１の側方から上方に湾曲して延びる持ち手３とを備えている。この開口Ｐを通じてバック本体１の内部に物品を収容可能となっている。
【００２３】
バック本体１は、下側が幅広で上側ほど幅狭の側面視略台形の形状とされており、バック本体１を床に置いたときに自立できる程度の強度を有している。このバック本体１は、前胴面１ａと、後胴面１ｂと、底面１ｅ（図３）と、一対の横マチ１ｃとによって構成されている。前胴面１ａと、後胴面１ｂと、底面１ｅとはそれぞれ一対のシート状の部材を折り曲げて構成されており（図３）、かぶせ２は、後胴面１ｂに接着剤で固定されている。また前胴面１ａ及び後胴面１ｂの両端にそれぞれ１枚ずつ一対の横マチ１ｃがそれぞれ接着剤によって固定されている。
【００２４】
横マチ１ｃは、下側が幅広の等脚台形の形状とされており、横マチ１ｃの上部から上方に延び、開口Ｐの上方を跨ぐように持ち手３が取り付けられている。このように持ち手３が取り付けられていることで、開口Ｐを閉じた状態のかぶせ２を持ち手３が上側から抑える役目を果たすので、かぶせ２が開口Ｐを閉じた状態でかぶせ２を外れにくくすることができる。
【００２５】
また前胴面１ａ及び後胴面１ｂと横マチ１ｃとが接着剤で取り付けられており、かぶせ２と後胴面１ｂとが接着剤で取り付けられているので、従来のように各部位の裏面を縫い付けた後に裏返してハンドバックを作製する場合と比べて、頑丈でしっかりとしたハンドバックを作製することができる。なお、ここでの接着剤は、工業用の粘着力が高いものを用いるので、従来と比べてハンドバックの強度が劣ることもない。
【００２６】
図２に示すように、かぶせ２の一端は、バック本体１の後胴面１ｂに取り付けられ、この一端の反対側のかぶせ２の端部近傍にはかぶせマグネット２ｘが内蔵されている。また、バック本体１の前胴面１ａには、かぶせマグネット２ｘの端部を磁力によって固定する本体マグネット１ｘが内蔵されている。このように本体マグネット１ｘ及びかぶせマグネット２ｘがいずれも内蔵されているので、前胴面１ａおよびかぶせ２を外側から見ても外観から留め具であるマグネットが見えなくなっており、デザイン性が優れたハンドバックとされている。
【００２７】
図２に示す状態のかぶせ２を、開口Ｐを跨ぐように覆うことで開口Ｐを閉じることができる。この閉じた状態（図１の状態）でかぶせマグネット２ｘと本体マグネット１ｘとが磁力で引き合うことによりかぶせ２の端部をバック本体１の前胴面１ａに固定することができる。かぶせマグネット２ｘと本体マグネット１ｘとは互いに磁力によって引き合うようにされているので、従来の留め具のように雄雌の位置合わせをする必要がなく、バック本体１の開口Ｐをかぶせ２が閉じた状態にすると、マグネットの磁力によりかぶせ２が自然と固定される。このため、かぶせ２の固定が容易で、機能性に優れたハンドバックとすることができる。
【００２８】
図３は前胴面１ａと底面と後胴面１ｂとを折り曲げる前の状態を示す上面図であり、図４は図３のＡ−Ａ線の断面図である。前胴面１ａは、図３及び図４に示すように、表側から順に、化粧生地１１と、化粧生地１１よりも厚みのあるクッション生地１２と、クッション生地１２よりも硬い素材で構成された厚手シート１３と、バック本体１の内側面として機能する裏生地１４とを含む。厚手シート１３は、２枚以上を重ねて貼り合わせたものが使用されている場合を示しているが、３枚以上を重ね合わせたものであってもよいし、１枚のみの場合であってもよい。化粧生地１１は、ハンドバック１の外観を構成するものであるため、漆黒の高級感の材質が用いられる。クッション生地１２は、前胴面１ａの弾力性を確保するためにスポンジ生地が用いられるがこれに限らない。
【００２９】
図３に示すように、クッション生地１２及び厚手シート１３に本体マグネット１ｘの外形よりも一回り大きい形状の切欠き１５が設けられている。また、本体マグネット１ｘの厚みは、クッション生地１２と厚手シート１３の合計厚みより薄くされている。この切欠き１５に本体マグネット１ｘを装着した状態で化粧生地１１をクッション生地１２に貼り合わせるとともに裏生地１４を厚手シート１３に貼り合わせる。これにより本体マグネット１ｘが内蔵された前胴面１ａとすることができる。本体マグネット１ｘの外形及び厚みが切欠き１５よりも一回り小さいので、切欠き１４内に本体マグネット１ｘを配置した状態で、前胴面１ａを外側から見たときに盛り上がりができないようになっている。同様の構成で、かぶせ２にはかぶせマグネット２ｘが内蔵されている。
【００３０】
本体マグネット１ｘ及びかぶせマグネット２ｘはいずれも、取り扱いやすさの観点から略矩形の板状の部材であることが好ましい。本体マグネット１ｘ及びかぶせマグネット２ｘはいずれもネオジム磁石を用いることが好ましい。ネオジム磁石はコンパクトでありながら強力な磁力を保持しているからである。
【符号の説明】
【００３１】
Ｐ  開口
１  バック本体
１ａ  前胴面
１ｂ  後胴面
１ｃ  横マチ
１ｘ  本体マグネット
２，１０２  かぶせ
２ｘ  かぶせマグネット
３，１０３  持ち手
１０  ハンドバック
１１  化粧生地
１２  クッション生地
１３  厚手シート
１４  裏生地
１５  切欠き
１０１  鞄本体
１０１ｘ  雌型の固定金具
１０２ｘ  雄型の固定金具
１１０  鞄
【図１】
0003216980.tif 000003
【図２】
0003216980.tif 000004
【図３】
0003216980.tif 000005
【図４】
0003216980.tif 000006
【図５】
0003216980.tif 000007